(57)【要約】【課題】ワイヤ操作装置において、ワイヤロープが押しの場合に圧縮に対して曲がりを押さえて強度を確保し、ワイヤロープの押しと引きとでの操作力を同等にすること。【解決手段】駆動側台座６のプーリ収納凹部７に収納された駆動側プーリ２と、従動側台座６のプーリ収納凹部７に収納された従動側プーリ３と、駆動側プーリ２と従動側プーリ３とに巻装された１本のワイヤロープ４とを備える。プーリ収納凹部７の底面に対面する各プーリのプーリ本体２ａの前面に、円環状のガイド溝２１が全周に亘って形成され、各台座６の外側部からプーリ収納凹部７の周縁部の底面に傾斜して連通するワイヤロープ挿通孔１７が形成され、ワイヤロープ４が円環状のガイド溝２１の内部に沿って配置され、その一端がプーリ本体２ａに固定されると共に、その中間部がワイヤロープ挿通孔１７を通る。【選択図】図９
2011169343.tif 000002
【特許請求の範囲】
【請求項１】
駆動側台座の裏面に設けられたプーリ収納凹部に収納された駆動側プーリと、
従動側台座の裏面に設けられたプーリ収納凹部に収納された従動側プーリと、
前記駆動側プーリと前記従動側プーリとに両端部が連結されると共に、前記駆動側プーリと前記従動側プーリとに巻装された１本のワイヤロープとを備え、
前記駆動側プーリに回転力を与えることで、前記１本のワイヤロープを介して前記従動側プーリが追従して回転するワイヤ操作装置において、
前記各プーリ収納凹部の底面に対面する前記各プーリのプーリ本体の前面の周縁部に、円環状のガイド溝が全周に亘って形成され、
前記台座の外側部から前記各プーリ収納凹部の周縁部の底面に傾斜して連通するワイヤロープ挿通孔が形成され、
前記ワイヤロープが前記円環状のガイド溝の内部に沿って配置され、その一端が前記プーリ本体に固定されると共に、その中間部が前記ワイヤロープ挿通孔を通る、
ことを特徴とするワイヤ操作装置。
【請求項２】
前記ワイヤロープは、該ワイヤロープと同軸上に配設されたアウタチューブの内部に移動自在に挿通され、
前記台座の前面外側部から前記プーリ収納凹部の周縁部の底面に向けて傾斜するアウタチューブ挿入穴が形成され、
前記ワイヤロープ挿通孔は、前記アウタチューブ導入穴の先端から前記プーリ収納凹部の周縁部の底面に向けて傾斜して形成され、
前記アウタチューブが前記アウタチューブ挿入穴に挿入されると共に傾斜して配置され、前記ワイヤロープ挿通孔を通る前記ワイヤロープの中間部が傾斜して配置された、
ことを特徴とする請求項１に記載のワイヤ操作装置。
【請求項３】
前記ワイヤロープ挿通孔の出口に近接して、前記プーリ収納凹部の周方向に向く方向に前記プーリ収納凹部の底面から前記ガイド溝の内部に向けて傾斜する傾斜部が突出形成され、
前記ワイヤロープの中間部が前記傾斜部に沿って前記ガイド溝の内部に誘導されている、
ことを特徴とする請求項１又は２に記載のワイヤ操作装置。
【請求項４】
前記ワイヤロープの外径と前記ガイド溝の溝幅とが等しく、前記ワイヤロープが前記ガイド溝に緊密に嵌合されたことを特徴とする請求項１乃至３のうちの何れか１つに記載のワイヤ操作装置。
【請求項５】
前記ガイド溝に前記ワイヤロープの一端部を固定するためのワイヤロープ係止孔が設けられたことを特徴とする請求項１乃至４のうちの何れか１つに記載のワイヤ操作装置。
【発明の詳細な説明】
【技術分野】
【０００１】
本発明は、例えば、車両用空調装置のドア駆動機構や、手動で入力された動力を遠隔に伝達するための動力伝達機構であって、動力により駆動回転される駆動側プーリと、動力伝達により従動回転される従動側プーリと、駆動側プーリと従動側プーリとに両端部が連結されると共に、駆動側プーリと従動側プーリに巻装された１本のワイヤロープとを備え、駆動側プーリの回転によりワイヤロープが駆動側プーリに巻き取られると共に、ワイヤロープが従動側プーリの外周から引き出されて従動側プーリが回転されるワイヤ操作装置に関する。
【背景技術】
【０００２】
従来、例えば、車両用空調装置のドア駆動機構において、手動による遠隔操作を行う際に、駆動側と従動側との動力伝達機構は、ワイヤロープを２本使用し、操作側プーリの時計方向、反時計方向の回転を各々のワイヤロープで引き方向で空調ケース側プーリに動力伝達を行うドア駆動機構が公知である（特許文献１）。
【０００３】
また、操作部のハンドル等に固定される固定台座上にレバーを突片した巻きドラムを軸着して、固定台座の外側に突出した案内壁の外端に外側チューブの一端を接続し、該案内壁の裏側へ突出する外側チューブの内側ケーブルを、巻きドラムの外周凹溝内に巻装して、先端をレバーに碇着し、該レバー付巻きドラムの回動により内側ケーブルを伸縮操作するケーブル操作レバーが広く知られている（特許文献２）。
【０００４】
特許文献２には、上記構成において、巻きドラムと該巻きドラムを固定台座に軸着する締め付けキャップとの間に、巻きドラムの上面に嵌合されるリングと、このリングの外周縁におけるレバーの基端部両側部分から外周凹溝外側方向へ突出する左右一対の突片を備え、レバー基端部と案内壁との間の外周凹溝の外側における前記一方の突片が、巻きドラムを案内壁方向へ回動した時に、巻装された内側ケーブルの一部が外周凹溝の外側方向へループ状に折れ曲がって突出することを防ぐための突片状カバーが形成されたケーブル操作レバーが開示されている。
【０００５】
さらに、図１０には、動力により駆動回転される駆動側プーリ３０と、動力伝達により従動回転される従動側プーリ３１と、駆動側プーリ３０と従動側プーリ３１とに両端部が連結されると共に、駆動側プーリ３０の外周と従動側プーリ３１の外周とに巻装された１本のワイヤロープ３２と、を備え、駆動側プーリ３０の反時計方向への回転によりワイヤロープ３２が駆動側プーリ３０の外周に巻き取られると共に、ワイヤロープ３２が従動側プーリ３１の外周から引き出されて従動側プーリ３１が反時計方向に回転され、駆動側プーリ３０の時計方向への回転によりワイヤロープ３２が駆動側プーリの外周から押し出されると共に、ワイヤロープ３２が従動側プーリ３１の外周に押し込まれて従動側プーリ３１が時計方向に回転されるワイヤ操作装置が示されている。
【先行技術文献】
【特許文献】
【０００６】
【特許文献１】特許第３９６０８４４号公報
【特許文献２】特許第２８８３３０３号公報
【発明の概要】
【発明が解決しようとする課題】
【０００７】
特許文献１に開示された２本のワイヤロープを使用したタイプは、入力に対する駆動側の遅れを最小とするために、２本のワイヤロープ配索時に左右の長さ精度に加え、印加テンション（ワイヤー張力）にも微妙な調整が必要である。
【０００８】
特許文献２に開示されたケーブル操作レバーは、巻きドラムと突片状カバーとが一体となって回動するもので、ケーブルを繰り出す方向に巻きドラムを回動する場合、その回動可能位置が、回動方向に向く突片状カバーの側端が案内壁の裏側のケーブル導入孔に対して直線状にケーブルをガイドする位置までに規制されることになり、巻きドラムの回動可能角度が狭い範囲に限定されて広く確保することが難しい。なお、図面によれば巻きドラムの回動可能角度はせいぜい４５度程度である。
【０００９】
また、特許文献２に開示されたケーブル操作レバーは、突片状カバーが形成されたリング、リングを押さえるためのバネワッシャ、バネワッシャに重ねる締め付けキャップ、締め付けキャップを台座に向けて締め付けるナット等、必要部品が多く、構造も複雑なものである。
【００１０】
図１０に示すワイヤ操作装置は、ワイヤロープに押し力の方向で掛る圧縮力に耐えるため、ワイヤロープの座屈を考慮すると、ある程度硬くて腰を持ったワイヤロープ（例えば、φ１．２ｍｍ程度の金属ケーブル）が必要であり、このケーブルを配策するのに極端な曲げはできず、曲げ半径は少なくとも２００ｍｍ程度が必要である。
【００１１】
また、ワイヤロープ３２の押し力の場合と引き力の場合とで力の伝達の差を最小限にするため、図１１に示すように、ワイヤロープ３２を巻装するためのプーリの外周に設けられたＶ状の周溝３３と台座３４の案内壁３５とのクリアランスを最小限としているが、部品精度を必要とする。さらに、ワイヤロープ３２の押し力の場合にワイヤロープ３２が台座３４の案内壁３５に接触して摺動することによるワイヤロープ３２への負荷（摺動ロスという）が発生し、押し力の場合と引き力の場合とで力の差を同一にすることができなかった。
【００１２】
本発明は、上記従来のケーブル操作装置が抱える問題点を解決するもので、ワイヤロープが押しの場合に圧縮に対して曲がりを押さえて強度を確保でき、ワイヤロープの押しの場合と引き場合とでの操作力を同等にすることができるワイヤ操作装置を提供することを目的とする。
【課題を解決するための手段】
【００１３】
請求項１に係るワイヤ操作装置は、駆動側台座の裏面に設けられたプーリ収納凹部に収納された駆動側プーリと、従動側台座の裏面に設けられたプーリ収納凹部に収納された従動側プーリと、前記駆動側プーリと前記従動側プーリとに両端部が連結されると共に、前記駆動側プーリと前記従動側プーリとに巻装された１本のワイヤロープとを備え、前記駆動側プーリに回転力を与えることで、前記１本のワイヤロープを介して前記従動側プーリが追従して回転するものであって、上記課題を解決するために、前記各プーリ収納凹部の底面に対面する前記各プーリのプーリ本体の前面の周縁部に、円環状のガイド溝が全周に亘って形成され、前記台座の外側部から前記各プーリ収納凹部の周縁部の底面に傾斜して連通するワイヤロープ挿通孔が形成され、前記ワイヤロープが前記円環状のガイド溝の内部に沿って配置され、その一端が前記プーリ本体に固定されると共に、その中間部が前記ワイヤロープ挿通孔を通る、ことを特徴とする。
【００１４】
請求項２に係るワイヤ操作装置は、請求項１に係るワイヤ操作装置において、前記ワイヤロープは、該ワイヤロープと同軸上に配設されたアウタチューブの内部に移動自在に挿通され、前記台座の前面外側部から前記プーリ収納凹部の周縁部の底面に向けて傾斜するアウタチューブ挿入穴が形成され、前記ワイヤロープ挿通孔は、前記アウタチューブ導入穴の先端から前記プーリ収納凹部の周縁部の底面に向けて傾斜して形成され、前記アウタチューブが前記アウタチューブ挿入穴に挿入されると共に傾斜して配置され、前記ワイヤロープ挿通孔を通る前記ワイヤロープの中間部が傾斜して配置されたことを特徴とするものである。
【００１５】
請求項３に係るワイヤ操作装置は、請求項１又は２に係るワイヤ操作装置において、前記ワイヤロープ挿通孔の出口に近接して、前記プーリ収納凹部の周方向に向く方向に前記プーリ収納凹部の底面から前記ガイド溝の内部に向けて傾斜する傾斜部が突出形成され、前記ワイヤロープの中間部が前記傾斜部に沿って前記ガイド溝の内部に誘導されていることを特徴とするものである。
【００１６】
請求項４に係るワイヤ操作装置は、請求項１乃至３のうちの何れか１つに係るワイヤ操作装置において、前記ワイヤロープの外径と前記ガイド溝の溝幅とが等しく、前記ワイヤロープが前記ガイド溝に緊密に嵌合されたことを特徴とするものである。
【００１７】
請求項５に係るワイヤ操作装置は、請求項１乃至４のうちの何れか１つに係るワイヤ操作装置において、前記ガイド溝に前記ワイヤロープの一端部を固定するためのワイヤロープ係止孔が設けられたことを特徴とするものである。
【発明の効果】
【００１８】
請求項１に係るワイヤ操作装置によれば、台座のプーリ収納凹部の底面に対面するプーリ本体の前面に設けられた円形のガイド溝にワイヤロープが沿うことにより、ワイヤロープが押しの場合に圧縮に対して曲がりを押さえて強度を確保でき、ワイヤロープの押し引きもプーリの回転の軸部に掛る負荷となることで、ワイヤロープの押しの場合と引きの場合とでの操作力を同等にすることができる。
【００１９】
また、１本のワイヤロープでの操作となるため、動力伝達に要するプーリの回転可能角度を３６０度近く取ることができ、２本のワイヤロープの両引きタイプと比べてプーリの回転可能角度を広く確保することができる。さらに、駆動側プーリと従動側プーリとの配置位置精度が、１本のワイヤロープのかしめる端部の寸法精度のみとなるため、位置合わせが容易となる。
【００２０】
請求項２に係るワイヤ操作装置によれば、ワイヤロープをプーリ本体に設けられた円形のガイド溝の内部に導入する際に、ワイヤロープをプーリ本体に対して傾斜して導入することができる。
【００２１】
請求項３に係るワイヤ操作装置によれば、ワイヤロープをプーリ本体に設けられた円形のガイド溝の内部に傾斜した状態で誘導することができる。
【００２２】
請求項４に係るワイヤ操作装置によれば、ワイヤロープを押した時と引いた時のガタつきがなく、従動側プーリの遅れを解消できる。
【００２３】
請求項５に係るワイヤ操作装置によれば、プーリ本体を台座に対して回転させることにより、ワイヤロープをプーリ本体に設けられた円形のガイド溝の内部に沿って配置されるので、ワイヤロープの巻装を容易に行うことができる。
【図面の簡単な説明】
【００２４】
【図１】本発明の実施形態に係るワイヤ操作装置の正面図である。
【図２】台座の裏面図である。
【図３】図２のＢ−Ｂ線における台座の断面図である。
【図４】図２のＣ−Ｃ方向から円形突壁の一部を眺めて示す側面図である。
【図５】図１のＡ−Ａ線における断面図である。
【図６】プーリ本体の正面図である。
【図７】図６のＤ−Ｄ線におけるプーリ本体の断面図である。
【図８】図６のＦ−Ｆ線における拡大断面図である。
【図９】図１のＥ−Ｅ線における拡大断面図である。
【図１０】従来の１本のワイヤロープを使用した押し引きタイプのワイヤ操作装置の平面図である。
【図１１】図１０の押し引きタイプのワイヤ操作装置の要部断面図である。
【発明を実施するための形態】
【００２５】
以下、本発明の実施形態を図面に基づいて詳細に説明する。図１は本発明の実施形態に係るワイヤ操作装置の正面図である。ワイヤ操作装置１は、例えば、手動操作による動力により駆動回転される駆動側プーリ２と、動力伝達により従動回転される従動側プーリ３と、駆動側プーリ２と従動側プーリ３とに両端部が連結されると共に、駆動側プーリ２の外周と従動側プーリ３の外周とに巻装された１本のワイヤロープ４とを備える。ワイヤロープ４の外周には、ワイヤロープ４と同軸上にアウタチューブ５が配設され、アウタチューブ５の内部にはワイヤロープ４が移動自在に挿通されている。駆動側プーリ２と従動側プーリ３とは機能上区別するために符号を別に付しているが、両プーリの構造は同等であり、以下の説明ではプーリ本体２ａを用いて説明する。
【００２６】
円板状のプーリ本体２ａは台座６に回転自在に支持されている。図２は台座６の裏面図であり、図３は図２のＢ−Ｂ線における台座６の断面図である。図２〜図３に示すように、台座６の裏面の略中央には、プーリ本体２ａの外周よりも僅かに大きな円形凹部よりなるプーリ収納凹部７が設けられている。また、プーリ収納凹部７を４等分した場合のうちの１つには、外側に矩形状に突出した張出部８が台座６と一体に形成されている。プーリ収納凹部７の底面７ａの中央には軸孔９が穿設され、軸孔９の下方には軸孔９の径よりも大きい径のねじ孔１０が設けられている。プーリ収納凹部７を取り囲む環状の案内壁１１の内側となるプーリ収納凹部７の周縁部には、プーリ収納凹部７の底面７ａから立ち上がる円環状の円形突壁１２が案内壁１１に沿って形成されている。
【００２７】
図４は図２のＣ−Ｃ方向から円形突壁１２の一部を眺めて示す側面図である。張出部８の他側に向く円形突壁１２には、円形突壁１２を一部切り欠いた欠切部１３が形成され、欠切部１３の反時計方向に位置する円形突壁１２の端部には、周方向に向けてプーリ収納凹部７の底面７ａから円形突壁１２の上端に傾斜する傾斜部１４が形成されている。
【００２８】
図５は図１のＡ−Ａ線における断面図である。張出部８の前面には、図２に示すように、一側端に開放され長角状のアウタチューブ支持溝１５が形成され、アウタチューブ支持溝１５の先端には裏面に向けて傾斜するアウタチューブ挿入穴１６が形成され、アウタチューブ挿入穴１６の先端には円形突壁１２の欠切部１３（図２）に向けて傾斜するワイヤロープ挿通孔１７が形成されている。この構成により、ワイヤロープ挿通孔１７が台座６の外側部に連通される。また、図１に示すように、張出部８の前面の一側端寄りには、アウタチューブ支持溝１５に近接する位置にビス孔１８が設けられている。
【００２９】
図６はプーリ本体２ａの正面図である。図７は図６におけるＤ−Ｄ線におけるプーリ本体２ａの断面図である。また、図８は図６のＦ−Ｆ線における拡大断面図である。台座６のプーリ収納凹部７の底面７ａに対面するプーリ本体２ａの前面の中央には軸部１９が突設され、軸部１９の内側には軸部１９の端面に連通するビス穴２０が設けられている。また、プーリ収納凹部７の底面７ａから立ち上がる円形突壁１２に対応する位置であるプーリ本体２ａの前面の周縁部には、円環状のガイド溝２１が全周に亘って形成されている。また、ガイド溝２１の底部の１か所にはプーリ本体２ａの裏面に貫通するワイヤロープ係止孔２２が設けられている（図６及び図８）。また、駆動側プーリ２の裏面には操作用のつまみ部２３が形成されている（図７）。
【００３０】
［ワイヤ操作装置１の組み立て］
ワイヤロープ４の先端を、台座６の張出部８に形成されたアウタチューブ挿入穴１６の奥方のワイヤロープ挿通孔１７に挿通させて台座６の裏面の円形突壁１２の欠切部１３から突出させる（図５参照）。さらにワイヤロープ４の先端をプーリ本体２ａの前面からガイド溝２１内のワイヤロープ係止孔２２（図６及び図８）に挿通させて駆動側プーリ２の裏面に突出させ、突出させたワイヤロープ４の先端部分を折曲してプーリ本体２ａの裏面に係止する。なお、これに代えて、ワイヤロープ４の一端にカシメ端子を設け、カシメ端子をワイヤロープ係止孔２２に圧入して固定してもよい。
【００３１】
アウタチューブ５の先端部分を台座６の張出部８に形成されたアウタチューブ挿入穴１６に差し込み、アウタチューブ５の先端部分よりも後ろの部分をアウタチューブ支持溝１５に沿って嵌入する。そして、ビス孔１８にビス（図示せず）をねじ込んでビスの頭部によってアウタチューブ５の外れ止めをする。これにより、アウタチューブ５がアウタチューブ挿入穴１６に挿入されると共に傾斜して配置され、ワイヤロープ挿通孔１７を通るワイヤロープ４の中間部が傾斜して配置される。また、ワイヤロープ挿通孔１７の出口に近接してプーリ収納凹部７の周方向に向く方向にプーリ収納凹部７の底面７ａからガイド溝２１の内部に向けて傾斜する傾斜部１４に沿って、ワイヤロープ４の中間部がガイド溝２１の内部に誘導される。
【００３２】
プーリ本体２ａの軸部１９を台座６のプーリ収納凹部７の底面７ａの中央の軸孔９に挿入し、プーリ本体２ａを台座６のプーリ収納凹部７の内部に回転自在に配置させる。プーリ本体２ａを台座６に対して図１の時計方向に回転させることにより、ワイヤロープ４がプーリ本体２ａに設けられた円形のガイド溝２１の内部に沿って配置され、ワイヤロープ４の巻装を容易に行うことができる。図９は図１のＥ−Ｅ線における拡大断面図である。図９に示すように、プーリ収納凹部７の底面７ａから立ち上がる円形突壁１２が前方からガイド溝２１の前端部に嵌入し、ワイヤロープ４がガイド溝２１から抜け出すことが防止される。
【００３３】
そして、前方から台座６の中心に設けられたねじ孔１０からビス２４をプーリ本体２ａの軸部１９のビス穴２０にねじ込んでプーリ本体２ａを台座６のプーリ収納凹部７に回転自在に支持する。なお、従動側プーリ３についても構成及び組み立ては駆動側プーリ２と全く同様である。
【００３４】
［作用］
駆動側プーリ２の反時計方向への回転によりワイヤロープ４が駆動側プーリ２のガイド溝２１に巻き取られると共に、ワイヤロープ４が従動側プーリ３の外周から引き出されて従動側プーリ３が反時計方向に回転される。また、駆動側プーリ２の時計方向への回転によりワイヤロープ４が駆動側プーリ２のガイド溝２１から押し出されると共に、ワイヤロープ４が従動側プーリ３のガイド溝２１に押し込まれて従動側プーリ３が時計方向に回転される。ワイヤロープ４の摺動は、周方向に向けてプーリ収納凹部７の底面７ａから円形突壁１２の上端に傾斜する傾斜部１４に沿って行われるため、円滑に移動する。
【００３５】
ガイド溝２１の溝幅はワイヤロープ４の外径と等しく形成され、ワイヤロープ４がガイド溝２１に緊密に嵌合されることにより、ワイヤロープ４を押した時と引いた時のガタつきがなく、従動側プーリの遅れを解消できる。台座６のプーリ収納凹部７の底面７ａに対面する駆動側プーリ２のプーリ本体２ａの前面に設けられた円形のガイド溝２１にワイヤロープ４が沿うことにより、ワイヤロープ４が押しの場合に圧縮に対して曲がりを押さえて強度を確保できる。ワイヤロープ４の押し引きも駆動側プーリ２のプーリ本体２ａの回転の軸部１９に掛る負荷となることで、ワイヤロープ４の押しの場合と引きの場合とでの操作力を同等にすることができる。
【符号の説明】
【００３６】
１  ワイヤ操作装置
２  駆動側プーリ
２ａ  プーリ本体
３  従動側プーリ
４  ワイヤロープ
５  アウタチューブ
６  台座
７  プーリ収納凹部
７ａ  底面
８  張出部
９  軸孔
１０  ねじ孔
１１  案内壁
１２  円形突壁
１３  欠切部
１４  傾斜部
１５  アウタチューブ支持溝
１６  アウタチューブ挿入穴
１７  ワイヤロープ挿通孔
１８  ビス孔
１９  軸部
２０  ビス穴
２１  ガイド溝
２２  ワイヤロープ係止孔
２３  つまみ部
２４  ビス
３０  駆動側プーリ
３１  従動側プーリ
３２  ワイヤロープ
３３  周溝
３４  台座
３５  案内壁
【図１】
2011169343.tif 000003
【図２】
2011169343.tif 000004
【図３】
2011169343.tif 000005
【図４】
2011169343.tif 000006
【図５】
2011169343.tif 000007
【図６】
2011169343.tif 000008
【図７】
2011169343.tif 000009
【図８】
2011169343.tif 000010
【図９】
2011169343.tif 000011
【図１０】
2011169343.tif 000012
【図１１】
2011169343.tif 000013